(57)【要約】      （修正有）【課題】複数の非接触式ＩＣカードを収容したまま、各非接触式ＩＣカードを選択して使用できるとともに、携帯時には非接触式スキミング犯罪から電子データを守るカードケースを提供する。【解決手段】複数の非接触式ＩＣカードを収容するカード収容部と電磁波シールド材を収容するシールド材収容部を、見開きの本綴じにするか、あるいは、ヒンジ部を介して連結することによって、使用したい非接触式ＩＣカードを選択的に単独で使用できるようにするとともに、使用しない場合には非接触式スキミングからの被害を防止できるようにした。【選択図】図１
0003136515.tif 000002
【実用新案登録請求の範囲】
【請求項１】
非接触式ＩＣカードをそれぞれ１枚収容し、かつ非導電性の素材からなる複数のカード収容部と、電磁波シールド材を収容したシールド材収容部とから構成され、上記複数のカード収容部と上記シールド材収容部の１辺を見開きの本綴じにしたことを特徴とするカードケース。
【請求項２】
非接触式ＩＣカードをそれぞれ１枚収容し、かつ非導電性の素材からなる複数のカード収容部と、電磁波シールド材を収容したシールド材収容部とから構成され、上記複数のカード収容部と上記シールド材収容部をヒンジ部を介し連結したこと特徴とするカードケース。
【考案の詳細な説明】
【技術分野】
【０００１】  本考案は、複数の非接触式ＩＣカードを収容し、また簡単に選択し使用でき、かつ非接触スキミングという違法行為から電子データを保護できるカードケースに関する。
【背景技術】
【０００２】  近年、ＩＣを搭載したＩＣカードが登場してきている。ＩＣカードには接触式ＩＣカードと非接触式ＩＣカードがあるが、身近な生活シーンの中で非接触式ＩＣカードが急速に普及しており技術体制も整備がすすんでいる。【０００３】  非接触式ＩＣカードはＩＣチップと、電磁波（電波）を受け入れるアンテナコイルを搭載した構造になっていおり、カードリーダとの間で電波により非接触でデータ通信を行うシステムになっている。【０００４】  このカードリーダはコンパクトに設置できるとともに、通信できる電子データ量が多くデータベースとの接続により様々のデータ処理が行える。このことより、交通系カード、現金決済系カード、個人認証系カード、行政系カード等その利用範囲は非常に増えており個人が複数の非接触式ＩＣカードを持ち歩く時代が到来している。【０００５】  このように、非接触式ＩＣカードは使用する側、提供する側双方にとって非常に便利なシステムであるが、違法カードリーダによる違法データ取得いわゆる非接触式スキミングという犯罪に対処する必要がある。【０００６】  また、電波によりデータのやり取りを行うためカードケースの中に非接触式ＩＣカードを入れたまま使用する場面が増えている。しかし、カードケースの中に複数枚の非接触式ＩＣカードが収容されている場合、通信障害が発生し、カードケース内の非接触式ＩＣカードをカードケースに収容したまま選択的に使用することができないことが多い。
【考案の開示】
【考案が解決しようとする課題】
【０００８】  本考案の目的は、複数の非接触式ＩＣカードを収容したまま、各非接触式ＩＣカードを選択して使用できるともに、携帯時には非接触式スキミング犯罪から電子データを守るカードケースを提供することにある。
【課題を解決するための手段】
【０００９】  そこで、本考案は上記目的を達成するために第１の課題解決手段として、複数の非接触式ＩＣカードをそれぞれ１枚収容し、かつ非導電性素材からなる複数のカード収容部と、電磁波（電波）シールド材を収容し、かつ非導電性素材からなるシールド材収容部の１辺を見開きの本綴じにした。【００１０】  また、第２の解決手段として、上記カード収容部と、上記シールド材収容部をヒンジ部を介し連結した。【００１１】  上記第１の課題解決手段による作用は次の通りである。
すなわち、非接触式のＩＣカードがそれぞれ収容された複数のカード収容部を本綴じし、各カード収容部を見開き可能な状態にしてあるため、使用したい非接触式ＩＣカードが収容されているカード収容部を簡単に面出しでき、他のカード収容部に邪魔されず、カードリーダにかざすことができる。ここで上記カード収容部は非導電性の素材で成形されているので、カード収容部に入れたままの非触式ＩＣカードとカードリーダとのデータ通信を邪魔しない。【００１２】  また、上記複数のカード収容部と上記シールド材収容部を綴じた状態では、シールド材が上記各非接触式ＩＣカードと重なった状態となりシールド効果を発揮する。【００１３】    また、第２の課題解決手段による作用は次の通りである。
すなわち、上記カード収容部と上記シールド材収容部が、ヒンジ部を介し連結されているため、使用したい非接触ＩＣカードが収容されている上記カード収容部を簡単に開いて面面出しでき、他のカード収容部に邪魔されず、カードリーダにかざすことができる。ここで上記カード収容部は非導電性の素材で成形されているので、カード収容部に入れたままの非接触式ＩＣカードとカードリーダとのデータ通信を邪魔しない。【００１４】  また、上記複数のカード収容部と上記シールド材収容部を畳んで綴じた状態では、シールド材が上記非接触式ＩＣカードと重なった状態となりシールド効果を発揮する。
【考案の効果】
【００１５】  上述のように、本考案のカードケースは、それぞれに複数の非接触式ＩＣカードを収容した複数のカード収容部と、電磁波シールド材を収容したシールド材収容部が見開きの本綴じにされ、あるいは別の形態ではヒンジ部を介し連結した状態に構成されているため、使用したい非接触式ＩＣカードを収容したカード収容部を選択して簡単に面出しでき、上記カード収容部をカードリーダにかざして使用することができる。【００１６】  また、上記複数のカード収容部と上記シールド材収容部を綴じた場合、あるいは別の形態では折り畳んだ場合、各カード収容部に収容された非接触式ＩＣカードがシールド材収容部に収容されたシールド材と重なり合った状態となり、各非接触式ＩＣカードに対してシールド効果を発揮する、このことにより、カードケース携帯時に、外部からの不正電磁波による非接触スキミングから被害を防御できる。
【考案を実施するための最良の形態】
【００１７】  以下本考案の実施の形態を図１〜図１１に基ずいて説明する。【００１８】  まず、第１の実施の形態について説明する。【００１９】  図１において、１はカードケースで、非接触式ＩＣカード４をそれぞれ１枚収容するための複数（本説明図では２つ）のカード収容部２と、シールド材５を収容するためのシールド材収容部３とから構成されており、上記複数のカード収容部２と、上記シールド材収容部３の１辺が綴じ部６にて見開きの本綴じにされている。また上記カード収容部２は、電波が透過する非導電性の紙、樹脂等の素材により袋状に成形されており、非接触式ＩＣカード４を挿入するためのカード挿入口２ａが形成されている。さらにシールド材収容部３は上記カード収容部２と同様に成形されており、シールド材挿入口３ａが形成されている。【００２０】  図２は、カードケース１におけるカード挿入口２ａおよびシールド材挿入口３ａに、非接触式ＩＣカード４およびシールド材５をそれぞれ挿入し収容する状態を示している。【００２１】  図３は、カードケース１のＡ−Ａ線断面図で、非接触式ＩＣカード４およびシールド材５が、カード収容部２およびシールド材収容部５にそれぞれ収容されている状態を示している。【００２２】  図４は、同カードケース１の使用状態を示す図であり、１つの非接触式ＩＣカード４を使用する状態を説明している。使用したい非接触ＩＣカード４が収容されているカード収容部２を見開いて面出しし、その面をカードリーダ７にかざす。このことにより上記カード収容部２内に収容されている非接触式ＩＣカード４が上記カードリーダ７にかざされる状態となりカードリ−ダ７の質問電波８を受信し、上記非接触式ＩＣカード４から応答電波９が発せられ通信状態となる。ここで、カード収納部２を面出しする面は表裏どちらでもよい。また、他の非接触式ＩＣカードを使用する場合も同様の動作を行えばよい。【００２３】  図５は、同カードケース１の他の使用状態を示す図であり、全てのカード収納部２およびシールド材収容部３を綴じた場合を示している。この場合、全てのカード収容部２とシールド材収容部３が重なり合うことにより、カード収容部２に収容されている非接触式ＩＣカード３とシールド収容部３に収容されているシールド材５が重なり合う状態になる。このことにより、シールド材５の電波シールド効果が全ての非接触式ＩＣカード４に対し機能する。つまり、非接触式ＩＣカード４を使用しない状態例えば携帯時など、カードケース１を綴じていれば、違法な質問電波８による非接触スキミングを防止できる。【００２４】  次に、第２の実施の形態について説明する。【００２５】  図６において、１はカードケースで非接触式ＩＣカード４をそれぞれ１枚収容するための複数（本説明図では２つ）のカード収容部２と、シールド材５を収容するためのシールド材収容部３とから構成されており、上記複数のカード収容部２と上記シールド材収容部３がヒンジ部１０を介して連結されている。また上記カード収容部２は、電波が透過する非導電性の紙、樹脂等の素材により袋状に成形されており、非接触式ＩＣカード４を挿入するためのカード挿入口２ａが形成されている。さらに、シールド材収容部３は上記カーード収容部２と同様に成形されており、シールド材挿入口３ａが形成されている。【００２６】  図７は、カードケース１におけるカード挿入口２ａおよびシールド材挿入口３ａに、非接触式ＩＣカード４およびシールド材５をそれぞれ挿入し収容する状態を示している。【００２７】  図８は、カードケース１のＢ−Ｂ線断面図で、非接触式ＩＣカード４およびシールド材５が、カード収容部２およびシールド材収容部５にそれぞれ収容されている状態を示している。【００２８】  図９は、同カードケース１の使用状態を示す図であり、１つの非接触式ＩＣカード４を使用する状態を説明している。使用したい非接触ＩＣカード４が収容されているカード収容部２を開いて面出しし、その面をカードリーダ７にかざす。このことにより上記カード収容部２内に収容されている非接触式ＩＣカード４が上記カードリーダ７にかざされる状態となりカードリーダ７の質問電波８を受信し、上記非接触式ＩＣカード４から応答電波９が発せられ通信状態となる。ここで、カード収納部２を面出しする面は表裏どちらでもよい。また、他の非接触式ＩＣカードを使用する場合も同様の動作を行えばよい。【００２９】  図１０は、カードケース１の他の使用状態を示す図であり、全てのカード収納部２およびシールド材収容部３を畳んだ場合を示している。この場合、全てのカード収容部２とシールド材収容部３が重なり合うことにより、カード収容部２に収容されている非接触式ＩＣカード３とシールド収容部３に収容されているシールド材５が重なり合う状態になる。このことにより、シールド材５の電波シールド効果が全ての非接触式ＩＣカード４に対し機能する。つまり、非接触式ＩＣカード４を使用しない状態例えば携帯時など、カードケース１を畳んでいれば、違法な質問電波８による非接触スキミングを防止できる。【００３０】  次に、上記シールド材５の電波シールド作用について説明する。【００３１】  図１１は、上記第１の実施の形態および第２の実施の形態で共通する、電磁波（電波）に対するシールド材５のシールド作用の説明図である。【００３２】  シールド材５は、アルミ箔等の導電体からなる電磁シールド体で成形されており、このシールド材５は２つのシールド作用を持つ。【００４０】  第１のシールド作用を図１１（ａ）に示す。【００４１】  非接触式ＩＣカード４とシールド材５を重ね合わせた状態で、シールド材５側から違法な質問電波８を発すると、シールド材５で上記質問電波８の電界成分がシールドされ電磁波シールドされる。この場合、非接触式ＩＣカード４に対してシールド材５を質問電波８８側に配置する。【００４２】  第２のシールド作用を図１１（ｂ）に示す。【００４３】  非接触式ＩＣカード４とシールド材５を重ね合わせた状態で、シールド材５側あるいは非接触式ＩＣカード４側から電磁波８を発すると、違法な質問電波８の磁界成分がシールド材５を通過してレンツの法則により逆向きの磁界１０が発生し磁界が相殺され、電磁シールドされる。このシールド効果を得るには、アルミ箔等のシールド材にある程度の厚みが必要である。ここで、本考案のカードケースにおいては上記シールド作用が有効である。【００４４】  中周波数の電磁波（電波）の場合、アルミ等の一般的に知られている導電性材料が、電磁波シールド材として非常に有効であることは周知されている。そして流通しているほとんど非接触式ＩＣカードがＭＨｚ帯で運用されているので、これらのシールド材の効果は大きい。
【産業上の利用分野】
上述したように、本考案のカードケースは、複数枚の非接触式ＩＣカードを同時に携帯しながら、使用時には簡単に選択して使用できる。また、携帯時には非接触スキミング等の違法電波からカードケース内の非接触式ＩＣカードを守ることができる。
【図面の簡単な説明】
【００４５】
【図１】    本考案のカードケースの第１の実施形態を示す図
【図２】    同カードケースの第１の実施形態を示す説明図
【図３】    同カードケースの図２におけるＡ−Ａ線断面図
【図４】    同カードケースの使用状態示す図
【図５】    同カードケースの他の使用状態示す図
【図６】    同カードケースの第２の実施形態を示す図
【図７】    同カードケースの第２の実施形態を示す説明図
【図８】    同カードケースの図７におけるＢ−Ｂ線断面図
【図９】    同カードケースの第２の実施形態の使用状態を示す図
【図１０】    同カードケースの第２の実施形態の他の使用状態を示す図
【図１１ａ】    同カードケースのシールド作用を示す図
【図１１ｂ】    同カードケースの他のシールド作用を示す図
【符号の説明】
【００４６】１…カードケース
２…カード収容部
２ａ…カード挿入口
３…シールド材収容部
３ａ…シールド材挿入口
４…非接触式ＩＣカード
５…シールド材
６…綴じ部
７…カードリーダ
８…質問電波
９…応答電波
１０…ヒンジ部
【図１】
0003136515.tif 000003
【図２】
0003136515.tif 000004
【図３】
0003136515.tif 000005
【図４】
0003136515.tif 000006
【図５】
0003136515.tif 000007
【図６】
0003136515.tif 000008
【図７】
0003136515.tif 000009
【図８】
0003136515.tif 000010
【図９】
0003136515.tif 000011
【図１０】
0003136515.tif 000012
【図１１ａ】
0003136515.tif 000013
【図１１ｂ】
0003136515.tif 000014